(57)【要約】【課題】低温環境下における液晶の応答速度の低下を緩和するとともに、液晶の過剰な加熱による劣化を抑制することが可能な液晶シャッタおよびカメラモジュールを提供する。【解決手段】本発明に係る液晶シャッタＸ１は、透光性を有する第１基板１０と、透光性を有し且つ第１基板１０に対向配置される第２基板２０と、第１基板１０と第２基板２０との間に液晶を封止するための封止部材３０と、液晶ＬＣに電圧を印加するためのシャッタ用電極４０と、液晶ＬＣに熱を供給するための加熱用電極６０と、を備えている。封止部材３０は、液晶ＬＣの封止領域Ｓを規定する規定部３１を有している。シャッタ用電極４０は、第１基板１０および第２基板２０の少なくとも一方に形成され、且つ、平面視において規定部３１により規定される封止領域Ｓ内に位置している。加熱用電極６０は、第１基板１０および第２基板２０の少なくとも一方に形成され、且つ、平面視において規定部３１により規定される封止領域Ｓ外に位置している。【選択図】図２
2010175793.tif 000002
【特許請求の範囲】
【請求項１】
透光性を有する第１基板と、透光性を有し且つ前記第１基板に対向配置される第２基板と、前記第１基板と前記第２基板との間に液晶を封止するための封止部材と、前記液晶に電圧を印加するためのシャッタ用電極と、前記液晶に熱を供給するための加熱用電極と、を備える液晶シャッタであって、
前記封止部材は、前記液晶の封止領域を規定する規定部を有しており、
前記シャッタ用電極は、前記第１基板および前記第２基板の少なくとも一方に形成され、且つ、平面視において前記規定部により規定される前記封止領域内に位置しており、
前記加熱用電極は、前記第１基板および前記第２基板の少なくとも一方に形成され、且つ、平面視において前記規定部により規定される前記封止領域外に位置していることを特徴とする、液晶シャッタ。
【請求項２】
前記封止部材は、前記規定部により規定される前記封止領域と外部領域とを連結する開口部を更に有しており、
前記開口部を閉塞するための閉塞部材を更に備える、請求項１に記載の液晶シャッタ。
【請求項３】
前記閉塞部材は、平面視において前記開口部の形成位置に対応する前記加熱用電極上に位置している、請求項２に記載の液晶シャッタ。
【請求項４】
前記シャッタ用電極に対して電気的に接続され、且つ、平面視において前記加熱用電極の形成領域外に位置している第１配線導体を備えている、請求項１から３のいずれかに記載の液晶シャッタ。
【請求項５】
前記第１配線導体の少なくとも一部は、前記加熱用電極に沿って形成されている、請求項４に記載の液晶シャッタ。
【請求項６】
前記封止部材の少なくとも一部は前記加熱用電極上に位置しており、
前記第１配線導体の少なくとも一部は前記封止部材に覆われている、請求項４または５に記載の液晶シャッタ。
【請求項７】
前記シャッタ用電極に対して電気的に接続され、且つ、平面視において一部が前記加熱用電極の形成領域内に位置している第２配線導体を備えている、請求項４から６のいずれかに記載の液晶シャッタ。
【請求項８】
前記封止部材の少なくとも一部は前記加熱用電極上に位置しており、
前記第２配線導体の少なくとも一部は前記封止部材に覆われている、請求項７に記載の液晶シャッタ。
【請求項９】
前記封止部材は、前記第２配線導体と前記加熱用電極との間に介在している、請求項７または８に記載の液晶シャッタ。
【請求項１０】
光学レンズ系と、該光学レンズ系を通過した光が入射する請求項１から９のいずれかに記載の液晶シャッタと、を備えることを特徴とする、カメラモジュール。
【発明の詳細な説明】
【技術分野】
【０００１】
本発明は、例えば液晶に電圧を印加することにより透光と遮光との切り替えを行う液晶シャッタおよびカメラモジュールに関する。
【背景技術】
【０００２】
液晶シャッタとしては、光学レンズ系などと組み合わせてカメラモジュールとして機能するものがあり、例えば特許文献１に開示されている。
【０００３】
特許文献１に開示のカメラモジュールに採用されている液晶レンズでは、低温環境下における液晶の応答速度の低下を緩和するために、レンズパターン領域の周囲に液晶を直接加熱するヒータ電極が設けられている。
【先行技術文献】
【特許文献】
【０００４】
【特許文献１】特開２００６−２０１２４３号公報
【発明の概要】
【発明が解決しようとする課題】
【０００５】
通常、ヒータ電極により液晶を直接加熱する場合、ヒータ電極近傍に位置する液晶の温度がかなり高くなる傾向にあり、特に低温状態にある液晶を短時間で所定温度まで加熱する場合には、その傾向が更に強くなる。つまり、特許文献１の液晶レンズでは、ヒータ電極により液晶が直接加熱される構造であるため、ヒータ電極近傍に位置する液晶が過剰に加熱され、劣化してしまう場合があった。そして、その劣化した液晶が対流などにより、液晶レンズの主要部にまで移動し、その機能に悪影響を与えてしまう場合があった。
【０００６】
本発明は、このような事情のもとで考え出されたものであって、低温環境下における液晶の応答速度の低下を緩和するとともに、液晶の過剰な加熱による劣化を抑制することが可能な液晶シャッタおよびカメラモジュールを提供する、ことを目的とする。
【課題を解決するための手段】
【０００７】
本発明に係る液晶シャッタは、透光性を有する第１基板と、透光性を有し且つ前記第１基板に対向配置される第２基板と、前記第１基板と前記第２基板との間に液晶を封止するための封止部材と、前記液晶に電圧を印加するためのシャッタ用電極と、前記液晶に熱を供給するための加熱用電極と、を備えている。前記封止部材は、前記液晶の封止領域を規定する規定部を有している。前記シャッタ用電極は、前記第１基板および前記第２基板の少なくとも一方に形成され、且つ、平面視において前記規定部により規定される前記封止領域内に位置している。前記加熱用電極は、前記第１基板および前記第２基板の少なくとも一方に形成され、且つ、平面視において前記規定部により規定される前記封止領域外に位置している。
【０００８】
本発明に係るカメラモジュールは、光学レンズ系と、該光学レンズ系を通過した光が入射する前記液晶シャッタと、を備えている。
【発明の効果】
【０００９】
本発明に係る液晶シャッタでは、加熱用電極が第１基板および第２基板の少なくとも一方に形成されているため、第１基板あるいは第２基板などを介して、加熱用電極から液晶へ熱を供給することができる。また、本発明に係る液晶シャッタでは、加熱用電極が平面視において封止部材の規定部により規定される封止領域外に位置しているため、実質的に液晶と加熱用電極との直接的な接触がない。したがって、本液晶シャッタでは、低温環境下における液晶の応答速度の低下を緩和することができるのに加え、液晶の過剰な加熱による劣化も抑制することができる。
【００１０】
本発明に係るカメラモジュールは、上述の液晶シャッタを備えているため、上述の本発明に係る液晶シャッタの有する効果と同様の効果を享受することができる。
【図面の簡単な説明】
【００１１】
【図１】本発明の第１の実施形態に係る液晶シャッタの概略構成を表す平面図である。
【図２】図１に示す液晶シャッタを表す断面図であり、（ａ）は図１のＩＩａ−ＩＩａ線に沿った断面図であり、（ｂ）は図１のＩＩｂ−ＩＩｂ線に沿った断面図である。
【図３】図１に示す液晶シャッタを表す断面図であり、（ａ）は図１のＩＩＩａ−ＩＩＩａ線に沿った断面図であり、（ｂ）は図１のＩＩＩｃ−ＩＩＩｃ線に沿った断面図である。
【図４】図１に示す液晶シャッタの第１基板側の構成を表す平面図である。
【図５】図１に示す液晶シャッタの第２基板側の構成を表す平面図である。
【図６】本発明の第２の実施形態に係る液晶シャッタの概略構成を表す平面図である。
【図７】図６に示す液晶シャッタを表す断面図であり、（ａ）は図６のＶＩＩａ−ＶＩＩａ線に沿った断面図であり、（ｂ）は図６のＶＩＩｂ−ＶＩＩｂ線に沿った断面図である。
【図８】図６に示す液晶シャッタを表す断面図であり、（ａ）は図１のＶＩＩＩａ−ＶＩＩＩａ線に沿った断面図であり、（ｂ）は図６のＶＩＩＩｃ−ＶＩＩＩｃ線に沿った断面図である。
【図９】図６に示す液晶シャッタの第１基板側の構成を表す平面図である。
【図１０】図６に示す液晶シャッタの第２基板側の構成を表す平面図である。
【図１１】本発明の第３の実施形態に係る液晶シャッタの概略構成を表す平面図である。
【図１２】図１１に示す液晶シャッタを表す断面図であり、（ａ）は図１１のＸＩＩａ−ＸＩＩａ線に沿った断面図であり、（ｂ）は図１１のＸＩＩｂ−ＸＩＩｂ線に沿った断面図である。
【図１３】図１１に示す液晶シャッタを表す断面図であり、（ａ）は図１のＸＩＩＩａ−ＸＩＩＩａ線に沿った断面図であり、（ｂ）は図１１のＸＩＩＩｃ−ＸＩＩＩｃ線に沿った断面図である。
【図１４】図１１に示す液晶シャッタの第１基板側の構成を表す平面図である。
【図１５】図１１に示す液晶シャッタの第２基板側の構成を表す平面図である。
【図１６】本発明の第４の実施形態に係る液晶シャッタの概略構成を表す平面図である。
【図１７】図１６に示す液晶シャッタを表す断面図であり、（ａ）は図１６のＸＶＩＩａ−ＸＶＩＩａ線に沿った断面図である。
【図１８】図１６に示す液晶シャッタを表す断面図であり、（ａ）は図１６のＸＶＩＩＩａ−ＸＶＩＩＩａ線に沿った断面図であり、（ｂ）は図１６のＸＶＩＩＩｂ−ＸＶＩＩＩｂ線に沿った断面図である。
【図１９】図１６に示す液晶シャッタの第１基板側の構成を表す平面図である。
【図２０】図１６に示す液晶シャッタの第２基板側の構成を表す平面図である。
【図２１】本発明の第５の実施形態に係る液晶シャッタの概略構成を表す平面図である。
【図２２】図２１に示す液晶シャッタを表す断面図であり、（ａ）は図２１のＸＸＩＩａ−ＸＸＩＩａ線に沿った断面図であり、（ｂ）は図２１のＸＸＩＩｂ−ＸＸＩＩｂ線に沿った断面図である。
【図２３】図２１に示す液晶シャッタを表す断面図であり、（ａ）は図２１のＸＸＩＩＩａ−ＸＸＩＩＩａ線に沿った断面図であり、（ｂ）は図２１のＸＸＩＩＩｂ−ＸＸＩＩＩｂ線に沿った断面図である。
【図２４】図２１に示す液晶シャッタの第１基板側の構成を表す平面図である。
【図２５】図２１に示す液晶シャッタの第２基板側の構成を表す平面図である。
【図２６】図１に示す液晶シャッタを備えるカメラモジュールの概略構成を表す断面図である。
【発明を実施するための形態】
【００１２】
図１は、本発明の第１の実施形態に係る液晶シャッタＸ１の概略構成を表す平面図である。図２は、図１に示す液晶シャッタＸ１を表す断面図であり、（ａ）は図１のＩＩａ−ＩＩａ線に沿った断面図であり、（ｂ）は図１のＩＩｂ−ＩＩｂ線に沿った断面図である。図３は、図１に示す液晶シャッタＸ１を表す断面図であり、（ａ）は図１のＩＩＩａ−ＩＩＩａ線に沿った断面図であり、（ｂ）は図１のＩＩＩｂ−ＩＩＩｂ線に沿った断面図である。
【００１３】
液晶シャッタＸ１は、液晶ＬＣ、第１基板１０と、第２基板２０と、封止部材３０と、シャッタ用電極４０と、配線導体５０，５１と、加熱用電極６０と、配向膜７０，７１と、偏光素子８０，８１と、を備えている。なお、図４は、図１に示す液晶シャッタＸ１の第１基板１０側の構成（封止部材３０を含む）を表す平面図である。また、図５は、図１に示す液晶シャッタＸ１の第２基板２０側の構成を表す平面図である。
【００１４】
液晶ＬＣは、電気的、光学的、力学的、あるいは磁気的な異方性を示し、固体の規則性と液体の流動性を併せ持つ部材である。液晶ＬＣとしては、ネマティック液晶、コレステリック液晶、およびスメクティック液晶などが挙げられるが、中でも応答速度の観点からスメクティック液晶に強誘電性機能を持たせた強誘電性液晶が好ましい。液晶ＬＣの駆動方式としては、ＴＮ（Twisted Nematic）方式、ＶＡ（Virtical Alignment）方式、ＩＰＳ（In-Place-Switching）方式、およびＯＣＢ（Optically Compensated Bend）方式などが挙げられるが、中でも応答速度の観点からＯＣＢ方式が特に好ましい。
【００１５】
第１基板１０は、シャッタ用電極４０の一部（後述の第１電極部４１）、配線導体５０、加熱用電極６０、配向膜７０、および偏光素子８０を支持するとともに、液晶ＬＣを封止するのに寄与する部材である。第１基板１０は、その少なくとも一部が透光性を有する構造とされている。第１基板１０の構成材料としては、例えば透光性ガラスおよび透光性プラスチックが挙げられる。
【００１６】
第２基板２０は、シャッタ用電極４０の一部（後述の第２電極部４２）、配線導体５１、配向膜７１、および偏光素子８１を支持するとともに、液晶ＬＣを封止するのに寄与する部材である。第２基板２０は、その少なくとも一部が透光性を有する構造とされている。第２基板２０の構成材料としては、例えば透光性ガラスおよび透光性プラスチックが挙げられる。
【００１７】
封止部材３０は、第１基板１０と第２基板２０との間に液晶ＬＣを封止するのに寄与するとともに、第１基板１０と第２基板２０とを所定間隔で離間した状態で接合する役割を担うものである。封止部材３０の構成材料としては、例えば絶縁性樹脂および導電性樹脂が挙げられるが、中でも伝熱効率の観点から、高熱伝導性樹脂（例えばエポキシ系樹脂、シリコン系樹脂、およびアクリル系樹脂など）、あるいは樹脂に高熱伝導性材料（例えばカーボンおよび金属など）を混合させたものが好ましい。導電性樹脂としては、例えば絶縁性樹脂内に導電性粒子を含有させたものが挙げられる。
【００１８】
本実施形態における封止部材３０は、規定部３１を有している。規定部３１は、第１基板１０と第２基板２０との間に液晶ＬＣを封止する封止領域Ｓを規定する部位である。本実施形態における規定部３１は、液晶ＬＣと加熱用電極６０との直接的な接触をより確実に防ぐべく、平面視においてシャッタ用電極４０と加熱用電極６０との間に主として位置している。
【００１９】
本実施形態における封止部材３０は、第１基板１０と第２基板２０との対向領域に位置する加熱用電極６０の略全体を覆っている。このような構成によると、加熱用電極６０により封止部材３０が直接的に加熱されるため、該封止部材３０を介しての液晶ＬＣの加熱をより効率的に行うことができる。したがって、液晶シャッタＸ１は、液晶ＬＣの応答速度の低下の緩和を図るうえで好適である。
【００２０】
シャッタ用電極４０は、液晶ＬＣに電圧を印加する役割を担う部材であり、透光性を有する構造とされている。シャッタ用電極４０は、第１基板１０および第２基板２０の少なくとも一方に形成され、且つ、平面視において規定部３１により規定される封止領域Ｓ内に位置している。シャッタ用電極４０の構成材料としては、例えばＩＴＯ（Indium Tin Oxide）および酸化錫などの透光性導電部材が挙げられる。
【００２１】
本実施形態におけるシャッタ用電極４０は、第１電極部４１および第２電極部４２を有している。
【００２２】
本実施形態における第１電極部４１は、第１基板１０の上面１０ａ側に位置しており、液晶シャッタとして有効に機能する範囲（以下、「シャッタ有効範囲」という）の略全体にわたって形成されている。本実施形態における第１電極部４１の平面視形状は、デットスペースを低減する観点から略矩形状とされているが、これには限られず、略円形状などでもよい。
【００２３】
本実施形態における第２電極部４２は、第１電極部４１に対向するように第２基板２０の下面２０ａ側に位置しており、シャッタ有効範囲の略全体にわたって形成されている。本実施形態における第２電極部４２の平面視形状は、デットスペースを低減する観点から略矩形状とされているが、これには限られず、略円形状などでもよい。
【００２４】
配線導体５０，５１は、外部（例えば電力供給源など）からシャッタ用電極４０へ電力を供給するのに寄与するものであり、シャッタ用電極４０に対して電気的に接続されている。配線導体５０，５１の構成材料としては、ＩＴＯおよび酸化錫などの透光性導電部材、アルミニウム（Ａｌ）、クロム（Ｃｒ）、銅（Ｃｕ）、銀（Ａｇ）、アルミニウム・ネオジウム（ＡｌＮｄ）、モリブデン（Ｍｏ）、タングステン（Ｗ）などが挙げられる。なお、図４および図５では、第１電極部４１と配線導体５０との境界、および、第２電極部４２と配線導体５１との境界を点線で示している。
【００２５】
本実施形態における配線導体５０は、ＡＢ方向に沿って延びるように第１基板１０の上面１０ａ側に形成されており、一端部が封止部材３０により取り囲まれた領域外に位置し、他端部が第１電極部４１と連結されている。本実施形態における配線導体５０は、平面視において加熱用電極６０の形成領域外に位置しており、その少なくとも一部が加熱用電極６０に沿って形成されている。本実施形態における配線導体５０の少なくとも一部は、封止部材３０に覆われている。
【００２６】
本実施形態における配線導体５１は、ＡＢ方向に沿って延びるように第２基板２０の下面２０ａ側に形成されており、一端部が封止部材３０により取り囲まれた領域外に位置し、他端部が第２電極部４２と連結されている。本実施形態における配線導体５１の一部は、平面視において加熱用電極６０の形成領域内に位置している。本実施形態における配線導体５１の少なくとも一部は、封止部材３０に覆われている。また、本実施形態では、配線導体５１と加熱用電極６０との間に封止部材３０が介在している。
【００２７】
加熱用電極６０は、液晶ＬＣに熱を供給する役割を担う部材である。本実施形態における加熱用電極６０は、平面視コ字状の角部を有する構成とされているが、このような構成には限られず、例えば平面視Ｕ字状のように実質的に角部の存在しない構成としてもよい。加熱用電極６０の構成材料としては、例えばＩＴＯ、Ｃｒ、Ａｌ、ニッケル（Ｎｉ）、タンタル（Ｔａ）などが挙げられる。本実施形態における加熱用電極６０は、ＩＴＯとＣｒとＡｌとの積層構造とされているが、このような構成には限られず、単層構造としてもよい。
【００２８】
配向膜７０，７１は、液晶ＬＣの液晶分子を所定方向に配向させる役割を担うものである。本実施形態における配向膜７０は、シャッタ用電極４０の第１電極部４１などが形成された第１基板１０の上面１０ａ側に形成されている。本実施形態における配向膜７１は、シャッタ用電極４０の第２電極部４２などが形成された第２基板２０の下面２０ａ側に形成されている。配向膜７０，７１の構成材料としては、ポリイミド樹脂などが挙げられる。また、配向膜７０，７１の厚さは、必要に応じて適宜設定すればよいが、例えば０．０２μｍ以上０．１μｍ以下に設定される。なお、本実施形態における配向膜７０，７１は、液晶ＬＣが存在する範囲全体に形成されているが、このような構成には限られず、少なくとも第１電極部４１および第２電極部４２が被覆されるように形成されていればよい。また、配向膜７０，７１は、第１基板１０あるいは第２基板２０と封止部材３０との間に介在させてもよいが、密着性の観点から封止部材３０と加熱用電極６０との間には介在させない方が望ましい。
【００２９】
偏光素子８０，８１は、所定の振動方向の光を選択的に透過させる役割を担うものである。偏光素子８０，８１の構成材料としては、ヨウ素系材料などが挙げられる。本実施形態における偏光素子８０は、第１基板１０の下面１０ｂ側に形成されている。本実施形態における偏光素子８１は、第２基板２０の上面２０ｂ側に形成されている。また、本実施形態における偏光素子８０は、偏光素子８１の軸方向（この軸方向と平行な振動方向の光を選択的に透過させる）に対して実質的に直交するように配置されている。このような構成によると、偏光素子８０，８１を透過する光のシャッタ機能を発揮するうえで好適である。なお、偏光素子８０と第１基板１０との間、あるいは、偏光素子８１と第２基板２０との間には、必要に応じて位相差フィルムなどを配置してもよい。
【００３０】
本実施形態に係る液晶シャッタＸ１では、加熱用電極６０が第１基板１０に形成されているため、該第１基板１０などを介して、加熱用電極６０から液晶ＬＣへ熱を供給することができる。また、液晶シャッタＸ１では、加熱用電極６０が平面視において封止部材３０の規定部３１により規定される封止領域Ｓ外に位置しているため、実質的に液晶ＬＣと加熱用電極６０との直接的な接触がない。したがって、液晶シャッタＸ１では、低温環境下における液晶の応答速度の低下を緩和することができるのに加え、液晶の過剰な加熱による劣化も抑制することができる。
【００３１】
液晶シャッタＸ１において配線導体５０は、シャッタ用電極４０（より具体的には第１電極部４１）に対して電気的に接続され、且つ、平面視において加熱用電極６０の形成領域外に位置している。また、液晶シャッタＸ１において配線導体５０の少なくとも一部は、加熱用電極６０に沿って形成されている。さらに、液晶シャッタＸ１において、封止部材３０の少なくとも一部が加熱用電極６０上に位置しており、配線導体５０の少なくとも一部が封止部材３０に覆われている。これらの構成によると、いずれも配線導体５０を効果的に加熱することができるため、第１電極部４１と配線導体５０との間の温度差を低減することができる。したがって、液晶シャッタＸ１では、第１電極部４１から配線導体５０側への熱移動を抑制することができ、第１電極部４１の配線導体５０との連結部近傍における温度ムラを低減することができる。
【００３２】
液晶シャッタＸ１において配線導体５１は、シャッタ用電極４０（より具体的には第２電極部４２）に対して電気的に接続され、且つ、平面視において一部が加熱用電極６０の形成領域内に位置している。また、液晶シャッタＸ１において、封止部材３０の少なくとも一部が加熱用電極６０上に位置しており、配線導体５１の少なくとも一部が封止部材３０に覆われている。さらに、液晶シャッタＸ１において封止部材３０は、配線導体５１と加熱用電極６０との間に介在している。これらの構成によると、いずれも配線導体５１を効果的に加熱することができるため、第２電極部４２と配線導体５１との間の温度差を低減することができる。したがって、液晶シャッタＸ１では、第２電極部４２から配線導体５１側への熱移動を抑制することができ、第２電極部４２の配線導体５１との連結部近傍における温度ムラを低減することができる。
【００３３】
図６は、本発明の第２の実施形態に係る液晶シャッタＸ２の概略構成を表す平面図である。図７は、図６に示す液晶シャッタＸ２を表す断面図であり、（ａ）は図６のＶＩＩａ−ＶＩＩａ線に沿った断面図であり、（ｂ）は図６のＶＩＩｂ−ＶＩＩｂ線に沿った断面図である。図８は、図６に示す液晶シャッタＸ２を表す断面図であり、（ａ）は図６のＶＩＩＩａ−ＶＩＩＩａ線に沿った断面図であり、（ｂ）は図６のＶＩＩＩｂ−ＶＩＩＩｂ線に沿った断面図である。図９は、図６に示す液晶シャッタＸ２の第１基板１０側の構成（封止部材３０を含む）を表す平面図である。図１０は、図６に示す液晶シャッタＸ２の第２基板２０側の構成を表す平面図である。液晶シャッタＸ２は、封止部材３０に代えて封止部材３０Ａおよび閉塞部材Ｍを採用する点において液晶シャッタＸ１と異なる。液晶シャッタＸ２の他の構成については、液晶シャッタＸ１に関して上述したのと同様である。
【００３４】
封止部材３０Ａは、第１基板１０と第２基板２０との間に液晶ＬＣを封止するのに寄与するとともに、第１基板１０と第２基板２０とを所定間隔で離間した状態で接合する役割を担うものである。封止部材３０Ａの構成材料としては、液晶シャッタＸ１の封止部材３０と同様のものが挙げられる。
【００３５】
本実施形態における封止部材３０Ａは、規定部３１Ａおよび開口部３２Ａを有している。規定部３１Ａは、第１基板１０と第２基板２０との間に液晶ＬＣを封止する封止領域Ｓを規定する部位である。本実施形態における規定部３１Ａは、平面視においてシャッタ用電極４０と加熱用電極６０との間に主として位置している。開口部３２Ａは、封止領域Ｓへの液晶ＬＣの供給口として機能する部位である。本実施形態における開口部３２Ａは、ＣＤ方向に沿って延びている。
【００３６】
閉塞部材Ｍは、開口部３２Ａを閉塞する役割を担うものである。本実施形態における閉塞部材Ｍは、本願発明の効果をより高める観点から、開口部３２Ａに位置する加熱用電極６０の全体を覆うように設けられているが、このような構成には限られず、開口部３２Ａの一部を閉塞するだけでもよい。例えば、液晶シャッタＸ２のように封止領域Ｓへの液晶ＬＣの供給を目的としたような開口部３２Ａであれば、その形成領域の面積が充分に小さい。例えば、加熱用電極６０において、封止部材３０Ａおよび閉塞部材Ｍにより被覆されていない部分の面積は、封止部材３０Ａおよび閉塞部材Ｍにより被覆されている部分の面積の５％以下に設定されている。そのため、液晶シャッタＸ２では、仮に開口部３２Ａの一部しか閉塞部材Ｍにより閉塞せず、該開口部３２Ａにおいて液晶ＬＣと加熱用電極６０とが直接接触する部位が存在したとしても、本願発明の効果を得ることが可能である。
【００３７】
本実施形態における封止部材３０Ａおよび閉塞部材Ｍは、第１基板１０と第２基板２０との対向領域に位置する加熱用電極６０の略全体を覆っている。このような構成によると、加熱用電極６０により封止部材３０Ａおよび閉塞部材Ｍが直接的に加熱されるため、封止部材３０の規定部３１からも液晶ＬＣの加熱を効率的に行うことができる。したがって、液晶シャッタＸ１は、液晶ＬＣの応答速度の低下の緩和を図るうえで好適である。
【００３８】
本実施形態に係る液晶シャッタＸ２では、上述の液晶シャッタＸ１の有する効果と同様の効果を享受することができる。
【００３９】
図１１は、本発明の第３の実施形態に係る液晶シャッタＸ３の概略構成を表す平面図である。図１２は、図１１に示す液晶シャッタＸ３を表す断面図であり、（ａ）は図１１のＸＩＩａ−ＸＩＩａ線に沿った断面図であり、（ｂ）は図１１のＸＩＩｂ−ＸＩＩｂ線に沿った断面図である。図１３は、図１１に示す液晶シャッタＸ３を表す断面図であり、（ａ）は図１１のＸＩＩＩａ−ＸＩＩＩａ線に沿った断面図であり、（ｂ）は図１１のＸＩＩＩｂ−ＸＩＩＩｂ線に沿った断面図である。図１４は、図１１に示す液晶シャッタＸ３の第１基板１０側の構成（封止部材３０を含む）を表す平面図である。図１５は、図１１に示す液晶シャッタＸ３の第２基板２０側の構成を表す平面図である。液晶シャッタＸ３は、封止部材３０に代えて封止部材３０Ｂおよび閉塞部材９０Ｂを採用する点において液晶シャッタＸ１と異なる。液晶シャッタＸ３の他の構成については、液晶シャッタＸ１に関して上述したのと同様である。
【００４０】
封止部材３０Ｂは、第１基板１０と第２基板２０との間に液晶ＬＣを封止するのに寄与するとともに、第１基板１０と第２基板２０とを所定間隔で離間した状態で接合する役割を担うものである。封止部材３０Ｂの構成材料としては、液晶シャッタＸ１の封止部材３０と同様のものが挙げられる。
【００４１】
本実施形態における封止部材３０Ｂは、規定部３１Ｂと、開口部３２Ｂと、外周部３３Ｂと、開口部３４Ｂとを有している。規定部３１Ｂは、第１基板１０と第２基板２０との間に液晶ＬＣを封止する封止領域Ｓを規定する部位である。本実施形態における規定部３１Ｂは、平面視においてシャッタ用電極４０と加熱用電極６０との間に主として位置している。開口部３２Ｂは、封止領域Ｓへの液晶ＬＣの供給口として機能する部位である。本実施形態における開口部３２Ｂは、ＣＤ方向に沿って延びている。外周部３３Ｂは、主として第１基板１０と第２基板２０とを所定間隔で離間した状態で接合するのに寄与する部位であり、第１基板１０と第２基板２０との対向領域の外周部分に位置している。開口部３４Ｂは、例えば、規定部３１Ｂと外周部３３Ｂとの間の領域に熱伝導性材料を供給したり、該領域に存在する流体（例えば空気など）の膨張あるいは圧縮の影響を低減したりするのに寄与する部位である。本実施形態における開口部３４Ｂは、開口部３２Ｂを取り囲むように設けられている。
【００４２】
閉塞部材９０Ｂは、開口部３２Ｂを閉塞する役割を担うものである。本実施形態における閉塞部材９０Ｂは、本願発明の効果をより高める観点から、開口部３２Ｂに位置する加熱用電極６０の全体を覆うように設けられているが、このような構成には限られず、開口部３２Ｂの一部を閉塞するだけでもよい。例えば、液晶シャッタＸ３のように封止領域Ｓへの液晶ＬＣの供給を目的としたような開口部３２Ｂであれば、その形成領域の面積が充分に小さい。そのため、液晶シャッタＸ３では、仮に開口部３２Ｂの一部しか閉塞部材９０Ｂにより閉塞せず、該開口部３２Ｂにおいて液晶ＬＣと加熱用電極６０とが直接接触する部位が存在したとしても、本願発明の効果を得ることが可能である。
【００４３】
本実施形態に係る液晶シャッタＸ３では、上述の液晶シャッタＸ１の有する効果と同様の効果を享受することができる。
【００４４】
図１６は、本発明の第４の実施形態に係る液晶シャッタＸ４の概略構成を表す平面図である。図１７は、図１６に示す液晶シャッタＸ４を表す断面図であり、（ａ）は図１６のＸＶＩＩａ−ＸＶＩＩａ線に沿った断面図であり、（ｂ）は図１６のＸＶＩＩｂ−ＸＶＩＩｂ線に沿った断面図である。図１８は、図１６に示す液晶シャッタＸ４を表す断面図であり、（ａ）は図１６のＸＶＩＩＩａ−ＸＶＩＩＩａ線に沿った断面図であり、（ｂ）は図１６のＸＶＩＩＩｂ−ＸＶＩＩＩｂ線に沿った断面図である。図１９は、図１６に示す液晶シャッタＸ４の第１基板１０側の構成（封止部材３０を含む）を表す平面図である。図２０は、図１６に示す液晶シャッタＸ４の第２基板２０側の構成を表す平面図である。液晶シャッタＸ４は、配線導体５１に代えて配線導体５１Ａを採用する点において液晶シャッタＸ１と異なる。液晶シャッタＸ４の他の構成については、液晶シャッタＸ１に関して上述したのと同様である。なお、図１９および図２０では、第１電極部４１と配線導体５０との境界、および、第２電極部４２と配線導体５１Ａとの境界を点線で示している。
【００４５】
本実施形態における配線導体５１Ａは、図１６〜図２０に示すように、配線導体５０と同じ方向側に重ならないように引き出されている。本実施形態における配線導体５１Ａは、一端部が第１基板１０における上面１０ａ側の封止部材３０により取り囲まれた領域外に位置し、他端部が第２基板２０の下面２０ａ側で第２電極部４２と連結されている。なお、封止部材３０として導電性粒子を含有するものを採用することにより、本実施形態における配線導体５１Ａは、第１基板１０側に位置する部位と第２基板２０側に位置する部位との間の電気的接続が行われている。
【００４６】
本実施形態に係る液晶シャッタＸ４では、液晶シャッタＸ１に比べて、更なる小型化を図ることが可能となる。
【００４７】
図２１は、本発明の第５の実施形態に係る液晶シャッタＸ５の概略構成を表す平面図である。図２２は、図２１に示す液晶シャッタＸ５を表す断面図であり、（ａ）は図２１のＸＸＩＩａ−ＸＸＩＩａ線に沿った断面図であり、（ｂ）は図２１のＸＸＩＩｂ−ＸＸＩＩｂ線に沿った断面図である。図２３は、図２１に示す液晶シャッタＸ５を表す断面図であり、（ａ）は図２１のＸＸＩＩＩａ−ＸＸＩＩＩａ線に沿った断面図であり、（ｂ）は図２１のＸＸＩＩＩｂ−ＸＸＩＩＩｂ線に沿った断面図である。図２４は、図２１に示す液晶シャッタＸ５の第１基板１０側の構成（封止部材３０を含む）を表す平面図である。図２５は、図２１に示す液晶シャッタＸ５の第２基板２０側の構成を表す平面図である。液晶シャッタＸ５は、シャッタ用電極４０および配線導体５０，５１に代えて、シャッタ用電極４０Ａおよび配線導体５０Ｂ，５１Ｂを採用する点において液晶シャッタＸ１と異なる。液晶シャッタＸ５の他の構成については、液晶シャッタＸ１に関して上述したのと同様である。
【００４８】
シャッタ用電極４０Ａは、液晶ＬＣに所定の電圧を印加する役割を担う部材であり、透光性を有する構造とされている。シャッタ用電極４０Ａの構成材料としては、上述の液晶シャッタＸ１のシャッタ用電極４０の構成材料と同様のものが挙げられる。
【００４９】
本実施形態におけるシャッタ用電極４０Ａは、第１電極部４１Ａおよび第２電極部４２Ａを有している。本実施形態における第１電極部４１Ａおよび第２電極部４２Ａはいずれも、第１基板１０の上面１０ａ側に位置しており、シャッタ有効範囲内で櫛歯状に形成されている。
【００５０】
配線導体５０Ｂ，５１Ｂは、外部（例えば電力供給源など）からシャッタ用電極４０Ａへ電力を供給するのに寄与するものであり、シャッタ用電極４０Ａに対して電気的に接続されている。配線導体５０Ｂ，５１Ｂの構成材料としては、ＩＴＯおよび酸化錫などの透光性導電部材、Ａｌ、Ｃｒ、Ｃｕ、Ａｇ、ＡｌＮｄ、Ｍｏ、Ｗなどが挙げられる。
【００５１】
本実施形態における配線導体５０Ｂは、ＡＢ方向に沿って延びるように第１基板１０の上面１０ａ側に形成されており、一端部が封止部材３０により取り囲まれた領域外に位置し、他端部が第１電極部４１Ａと連結されている。本実施形態における配線導体５１Ｂは、ＡＢ方向に沿って延びるように第１基板１０の上面１０ａ側に形成されており、一端部が封止部材３０により取り囲まれた領域外に位置し、他端部が第２電極部４２Ａと連結されている。なお、図２４および図２５では、第１電極部４１Ａと配線導体５０Ｂとの境界、および、第２電極部４２Ａと配線導体５１Ｂとの境界を点線で示している。
【００５２】
本実施形態に係る液晶シャッタＸ５では、液晶シャッタＸ１に比べて、更なる小型化を図ることが可能となる。
【００５３】
図２６は、液晶シャッタＸ１を備えるカメラモジュールＹの概略構成を表す断面図である。カメラモジュールＹは、液晶シャッタＸ１と、光学レンズ系９０と、受光素子９１と、筐体９２とを備えている。なお、本実施形態に係るカメラモジュールＹでは、液晶シャッタＸ１を用いて説明するが、液晶シャッタＸ１に代えて液晶シャッタＸ２，Ｘ３，Ｘ４，Ｘ５を採用してもよい。
【００５４】
光学レンズ系９０は、被写体からの光を受光素子９１に集光する役割を担うものである。本実施形態における光学レンズ系９０は、１つのレンズにより構成されているが、透過する光の収差を補正する目的などにより更に他のレンズを追加して複数のレンズによる構成としてもよい。光学レンズ系９０を構成するレンズの構成材料としては、例えば、ガラスと、アクリル樹脂およびポリカーボネート樹脂などの透明樹脂とが挙げられる。
【００５５】
受光素子９１は、光学レンズ系９０により集光された光を電気信号などに変換する役割を担うものである。受光素子９１としては、例えばＣＣＤイメージセンサおよびＣＭＯＳイメージセンサなどの光電変換素子が挙げられる。
【００５６】
筐体９２は、液晶シャッタＸ１、光学レンズ系９０、および受光素子９１を収容する役割を担うものである。筐体９２の構成材料としては、例えばポリカーボネート樹脂などの樹脂と、Ａｌなどの金属と、ステンレス（ＳＵＳ）などの合金とが挙げられる。
【００５７】
本発明に係るカメラモジュールＹは、液晶シャッタＸ１を備えていることから、上述した液晶シャッタＸ１と同様の効果を享受することができる。
【００５８】
以上、本発明の具体的な実施形態を示したが、本発明はこれに限定されるものではなく、発明の思想から逸脱しない範囲内で種々の変更が可能である。
【符号の説明】
【００５９】
Ｘ１，Ｘ２，Ｘ３，Ｘ４，Ｘ５    液晶シャッタ
Ｙ    カメラモジュール
ＬＣ    液晶
Ｓ    封止領域
Ｍ    閉塞部材
１０    第１基板
２０    第２基板
３０    封止部材
４０，４０Ａ    シャッタ用電極
４１，４１Ａ    第１電極部
４２，４２Ａ    第２電極部
５０，５０Ｂ    配線導体
５１，５１Ａ，５１Ｂ    配線導体
６０    加熱用電極
７０，７１    配向膜
８０，８１    偏光素子
９０    光学レンズ系
９１    受光素子
９２    筐体
【図１】
2010175793.tif 000003
【図２】
2010175793.tif 000004
【図３】
2010175793.tif 000005
【図４】
2010175793.tif 000006
【図５】
2010175793.tif 000007
【図６】
2010175793.tif 000008
【図７】
2010175793.tif 000009
【図８】
2010175793.tif 000010
【図９】
2010175793.tif 000011
【図１０】
2010175793.tif 000012
【図１１】
2010175793.tif 000013
【図１２】
2010175793.tif 000014
【図１３】
2010175793.tif 000015
【図１４】
2010175793.tif 000016
【図１５】
2010175793.tif 000017
【図１６】
2010175793.tif 000018
【図１７】
2010175793.tif 000019
【図１８】
2010175793.tif 000020
【図１９】
2010175793.tif 000021
【図２０】
2010175793.tif 000022
【図２１】
2010175793.tif 000023
【図２２】
2010175793.tif 000024
【図２３】
2010175793.tif 000025
【図２４】
2010175793.tif 000026
【図２５】
2010175793.tif 000027
【図２６】
2010175793.tif 000028